(57)【要約】【課題】  ユーザが背表紙画像の開きを指定し、入力画像の順番を意識せずに容易に背表紙画像を形成する。【解決手段】  ユーザが背表紙のレイアウトと背表紙幅を設定するための設定画面を提供し、その設定画面で設定されたレイアウトに基づき、入力画像の表表紙画像と裏表紙画像を決定し、また設定された背表紙幅分の間隔を空けて配置した背表紙画像を形成する。【選択図】      図５
2005286392.tif 000002
【特許請求の範囲】
【請求項１】
入力画像をユーザが指示した画像面順で記録紙に印刷する背表紙形成機能を有する画像形成装置であって、
ユーザに表表紙及び裏表紙のレイアウトを設定させるレイアウト設定手段と、
ユーザに背表紙幅を設定させる背表紙幅設定手段と、
前記レイアウト設定手段で設定されたレイアウトに基づき、入力画像の表表紙画像と裏表紙画像とを決定し、前記背表紙幅設定手段で設定された背表紙幅分の間隔を空けて配置した背表紙を形成する背表紙形成手段とを有することを特徴とする画像形成装置。
【請求項２】
前記背表紙形成手段は、表表紙画像の主走査幅が記録用紙の主走査幅より大きい場合、記録用紙の主走査幅に合うよう表表紙画像を縮小して背表紙を形成することを特徴とする請求項１に記載の画像形成装置。
【請求項３】
前記背表紙形成手段は、裏表紙画像の主走査幅が記録用紙の主走査幅より大きい場合、記録用紙の主走査幅に合うよう裏表紙画像を縮小して背表紙を形成することを特徴とする請求項１に記載の画像形成装置。
【請求項４】
前記背表紙形成手段は、前記レイアウト設定手段で設定されたレイアウトに基づき決定した表表紙画像と裏表紙画像の画像サイズが異なる場合、当該表表紙画像のサイズを裏表紙画像のサイズに適用し、背表紙を形成することを特徴とする請求項１に記載の画像形成装置。
【請求項５】
前記入力画像は画像読取装置で読み取られた原稿画像であることを特徴とする請求項１記載の画像形成装置。
【請求項６】
前記入力画像はネットワークを介して外部装置から受信したＰＤＬデータの画像であることを特徴とする請求項１記載の画像形成装置。
【請求項７】
入力画像をユーザが指示した画像面順で記録紙に印刷する背表紙形成機能を有する画像形成装置の背表紙形成方法であって、
ユーザに表表紙及び裏表紙のレイアウトを設定させるレイアウト設定工程と、
ユーザに背表紙幅を設定させる背表紙幅設定工程と、
前記レイアウト設定工程で設定されたレイアウトに基づき、入力画像の表表紙画像と裏表紙画像とを決定し、前記背表紙幅設定工程で設定された背表紙幅分の間隔を空けて配置した背表紙を形成する背表紙形成工程とを有することを特徴とする画像形成装置の背表紙形成方法。
【請求項８】
入力画像をユーザが指示した画像面順で記録紙に印刷する背表紙作成機能を有する画像形成装置の背表紙形成方法であって、
ユーザに表表紙及び裏表紙のレイアウトと背表紙幅とを設定させる設定画面を提供する工程と、
前記提供する工程において設定されたレイアウトと背表紙幅とに基づいて前記背表紙形成機能により背表紙を形成させる工程とを有することを特徴とする画像形成装置の背表紙形成方法。
【請求項９】
請求項７又は請求項８記載の画像形成装置の背表紙形成方法をコンピュータに実行させるためのプログラム。
【請求項１０】
請求項９記載のプログラムを記録したコンピュータ読み取り可能な記録媒体。
【発明の詳細な説明】
【技術分野】
【０００１】
本発明は、入力画像をユーザが指示した画像面順で記録紙に印刷する背表紙形成機能を有する画像形成装置及びその背表紙形成方法に関するものである。
【背景技術】
【０００２】
近年の画像形成装置における画像形成ユニットの高速化に伴い、大量部数の画像形成が可能となり、更には簡単に少量部のパンフレット作成や簡易な製本ができるようになっている。このような本を作成するときは、予め表表紙と裏表紙となる画像間に一定の間隔を設けた背表紙を出力しておき、この背表紙に出力結果を挟み込み、閉じこむことで製本を行う方法が多く用いられている（例えば、特許文献１、２参照）。
【特許文献１】特開２０００−１８４１５４号公報
【特許文献２】特開２０００−３３２９８７号公報
【発明の開示】
【発明が解決しようとする課題】
【０００３】
しかしながら、従来の画像形成装置においては、入力された原稿画像２枚のうち、どちらを表表紙もしくは裏表紙にするかをユーザが指定することができなかった。
【０００４】
そのため、ユーザは画像形成装置に入力する原稿画像の順番を意識しなければならず、操作ミスを起こしやすいという問題があった。
【０００５】
本発明は上記課題を解決するためになされたもので、ユーザが背表紙画像の開きを指定し、入力画像の順番を意識せずに容易に背表紙画像を形成することを目的とする。
【課題を解決するための手段】
【０００６】
本発明は、入力画像をユーザが指示した画像面順で記録紙に印刷する背表紙作成機能を有する画像形成装置であって、ユーザに表表紙と裏表紙のレイアウトを設定させるレイアウト設定手段と、ユーザに背表紙幅を設定させる背表紙幅設定手段と、前記レイアウト設定手段で設定されたレイアウトに基づき、入力画像の表表紙画像と裏表紙画像とを決定し、前記背表紙幅設定手段で設定された背表紙幅分の間隔を空けて配置した背表紙を形成する背表紙形成手段とを有することを特徴とする。
【０００７】
また、本発明は、入力画像をユーザが指示した画像面順で記録紙に印刷する背表紙形成機能を有する画像形成装置の背表紙形成方法であって、ユーザに表表紙及び裏表紙のレイアウトを設定させるレイアウト設定工程と、ユーザに背表紙幅を設定させる背表紙幅設定工程と、前記レイアウト設定工程で設定されたレイアウトに基づき、入力画像の表表紙画像と裏表紙画像とを決定し、前記背表紙幅設定工程で設定された背表紙幅分の間隔を空けて配置した背表紙を形成する背表紙形成工程とを有することを特徴とする。
【０００８】
更に、本発明は、入力画像をユーザが指示した画像面順で記録紙に印刷する背表紙作成機能を有する画像形成装置の背表紙形成方法であって、ユーザに表表紙及び裏表紙のレイアウトと背表紙幅とを設定させる設定画面を提供する工程と、前記提供する工程において設定されたレイアウトと背表紙幅とに基づいて前記背表紙形成機能により背表紙を形成させる工程とを有することを特徴とする。
【発明の効果】
【０００９】
本発明によれば、ユーザが背表紙画像の開きを指定でき、入力画像の順番を意識せずに容易に背表紙画像を形成することができる。
【発明を実施するための最良の形態】
【００１０】
以下、図面を参照しながら発明を実施するための最良の形態について詳細に説明する。尚、本実施形態では、画像形成装置として、ホストコンピュータとネットワークを介して接続され、画像入力装置と画像出力装置と制御装置などで構成される画像入出力システムを例に説明する。
【００１１】
図１は、本実施形態における画像入出力システムの全体構成を示す図である。図示するように、画像入出力システム１００は、画像入力装置（リーダ部）２００、画像出力装置（プリンタ部）３００、制御装置（コントローラ部）１１０、及び操作部１５０から構成されている。
【００１２】
リーダ部２００は、原稿画像を光学的に読み取り、画像データに変換する。このリーダ部２００は、原稿を読み取るための機能を有するスキャナユニット２１０と、原稿用紙を搬送するための機能を有する原稿給紙（ＤＦ）ユニット２５０とで構成される。
【００１３】
プリンタ部３００は、記録紙を搬送し、その上に画像データを可視画像として印字して装置外へ排紙する。このプリンタ部３００は、複数サイズの記録紙カセットを備える給紙ユニット３１０と、画像形成された印字データを記録紙に転写、定着させる機能を有するマーキングユニット３２０と、印字された記録紙をソート、ステイプルして装置外へ出力する機能を有する排紙ユニット３３０とで構成される。
【００１４】
コントローラ部１１０は、リーダ部２００、プリンタ部３００、ハードディスク６００と電気的に接続され、更にネットワーク４００を介して複数のホストコンピュータ４０１、４０２と接続されている。ここで、ホストコンピュータ４０１、４０２は、パーソナルコンピュータ（ＰＣ）などの一般的なコンピュータであり、アプリケーションプログラムの印刷機能のうち、ユーザが後述する背表紙作成モードを指定すると、ＰＣにインストールされているプリンタドライバによって背表紙作成モード設定画面がディスプレイに表示され、その設定画面からユーザは背表紙幅と背表紙のレイアウト（開き）と背表紙作成時の画像サイズ調整とを設定することができる。尚、この背表紙作成モードの詳細については更に後述する。
【００１５】
また、コントローラ部１１０はリーダ部２００を制御して原稿の画像データを読み込み、プリンタ部３００を制御してその画像データを記録用紙に出力する、コピー機能を提供する。更に、リーダ部２００から読み取った画像データをコードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を有する。更に、画像データをハードディスク６００に記憶する機能も有する。
【００１６】
操作部１５０は、コントローラ部１１０に接続され、液晶タッチパネルなどで構成され、画像入出力システムを操作するためのユーザＩ／Ｆを提供する。
【００１７】
図２は、リーダ部２００及びプリンタ部３００の構造を示す側断面図である。リーダ部２００の原稿給送ユニット２５０は原稿を先頭順に１枚ずつプラテンガラス２１１上へ給送し、原稿の読み取り動作が終了した後、プラテンガラス２１１上の原稿を排出するものである。スキャナユニット２１０は原稿がプラテンガラス２１１上に搬送されると、ランプ２１２を点灯し、そして光学ユニット２１３の移動を開始させて原稿を露光走査する。この時の原稿からの反射光はミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。このＣＣＤ２１８から出力される画像データは、所定の処理が施された後、コントローラ部１１０へ転送される。
【００１８】
一方、プリンタ部３００のレーザドライバ３２１はレーザ発光部３２２を駆動するものであり、コントローラ部１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００１９】
そして、レーザ光の照射開始と同期したタイミングで、カセット３１１或いは３１２の何れかから記録紙を給紙して転写部３２５へ搬送し、感光ドラム３２３に付着された現像剤を記録紙に転写する。現像剤の乗った記録紙は定着部３２６に搬送され、定着部３２６の熱と圧力により現像剤が記像紙に定着される。その後、定着部３２６を通過した記録紙は排出ローラ３２７によって排出され、排紙ユニット３３０が排出された記録紙を束ねて記録紙の仕分けをしたり、仕分けされた記録紙のステイプルを行う。
【００２０】
また、両面記録が設定されている場合は、排出ローラ３２７のところまで記録紙を搬送した後、排出ローラ３２７の回転方向を逆転させ、フラッパ３２８によって再給紙搬送路３２９へ導く。この再給紙搬送路３２９へ導かれた記録紙は上述したタイミングで転写部３２５へ給紙され、表面と同様に裏面への画像形成が行われる。
【００２１】
図３は、本実施形態における操作部１５０の構成の一例を示す図である。図３において、５０２は装置への電源オン／オフを示すパワーランプであり、パワースイッチ５０１の押下によって電源が投入されると点灯する。５０３はコピー機能選択キーであり、コピー機能を選択する際に押下する。５０４はファックス機能選択キーであり、ファックス機能を選択する際に押下する。５０５はパーソナルボックス選択キーであり、パーソナルボックス機能を選択する際に押下する。
【００２２】
５１２はテンキーであり、画像形成枚数の設定やモード設定などの数値入力に使用する。また、ファクシミリ設定画面では、電話番号の入力にも使用する。５１３はクリアキーであり、テンキー５１２で入力した設定を無効にする場合に使用する。５０８はリセットキーであり、設定された画像形成枚数や動作モード或いは選択給紙段等のモードを既定値に戻す場合に使用する。
【００２３】
５０６はスタートキーであり、画像形成を開始する場合に押下するキーである。５０７はストップキーであり、複写動作を停止する場合に使用する。５０９はガイドキーであり、あるキーの機能がわからない際に押下するキーであり、機能がわからないキーの説明は表示パネル５１６に表示する。
【００２４】
５１０はユーザモードキーであり、装置に対する各種設定を変更する際に使用するキーである。５１１は割り込みキーであり、画像形成動作中にユーザが他の作業をしたい場合に押下するキーである。５１４は２０個のワンタッチダイヤルキーであり、ファクシミリ送信時にワンタッチでダイヤルする際に使用する。５１５は２枚の蓋であり、ワンタッチダイヤルキー５１４の各キー部分がくり抜かれた形状の２重の蓋になっている。
【００２５】
尚、不図示のセンサースイッチにより、２枚の蓋が閉じられた第１の状態と、１枚目の蓋が閉じられた第２の状態と、２枚の蓋が開いた第３の状態とを検出し、蓋の３つの開閉状態とワンタッチダイヤルキー５１４の組み合わせで、本実施形態では合計６０個のキーが存在するのと同等の効果を持つ。
【００２６】
５１６はタッチパネルであり、モード毎に設定画面が表示され、設定画面に描画されたキーに触れることで、各種の詳細な設定を行うことが可能である。
【００２７】
次に、上述した画像形成装置において背表紙画像を作成する背表紙作成モードについて説明する。
【００２８】
図４は、本実施形態における背表紙と画像のレイアウトを示す図である。図４において、６０４、６１４、６２４、６３４は背表紙作成で用いられる用紙を意味している。この背表紙用紙には、表表紙画像と裏表紙画像が背表紙幅の間隔で印刷され、背表紙幅に相当する部分は空白画像である。
【００２９】
６０１、６１１、６２１、６３１はそれぞれ表表紙であり、背表紙画像に相当する画像「Ａ」が印刷される。６０２、６１２、６２２、６３２はそれぞれ裏表紙であり、背表紙画像に相当する画像「Ｂ」が印刷される。６０３、６１３、６２３、６３３はユーザによって指定された背表紙幅分の空白領域である。
【００３０】
尚、上述の表表紙画像と裏表紙画像はユーザによって指定された背表紙のレイアウト、即ち、「開き」に応じて回転して配置される。また、背表紙作成モードにおけるプリント方法としては、表表紙画像と裏表紙画像、背表紙幅の空白画像とを連結した１つの画像をメモリ上で作成したものをプリントしても良いし、プリント時に排紙方向に従って表表紙或いは裏表紙をプリントした後、背表紙幅分の空白領域を形成するために、レーザを一定時間停止し、背表紙幅分の空白領域を形成した後、裏表紙或いは表表紙をプリントしても良い。
【００３１】
次に、背表紙作成モードにおけるユーザ設定について説明する。本実施形態では、まず画像形成装置の操作部に表示される背表紙作成モード設定画面を例に説明する。
【００３２】
図５は、本実施形態における背表紙作成モード設定画面の一例を示す図である。ユーザは、この背表紙作成モード設定画面７００で、背表紙幅と背表紙のレイアウト（開き）と背表紙作成時の画像サイズ調整とを設定することができる。
【００３３】
７０１はユーザが設定した背表紙幅の値を表示する領域である。ユーザは、プラスキー７０２又はマイナスキー７０３を押下することにより、１ｍｍ単位で背表紙幅を設定することができる。７０４〜７０７は右開き、左開き、上開き、下開きを設定するキーであり、ユーザは図４に示すような背表紙のレイアウトから何れか１つを選択可能である。
【００３４】
７０８は表表紙と裏表紙の画像サイズを調整するための第１の画像サイズ調整キーであり、用紙サイズに表表紙画像や裏表紙画像のサイズが一致するよう、表表紙画像と裏表紙画像の拡大縮小を行うものである。第１の画像サイズ調整キー７０８を設けることにより、表表紙画像や裏表紙画像が用紙より大きくても絵を切ることなく背表紙作成を行うことが可能になる。
【００３５】
７０９は裏表紙画像のサイズを表表紙画像のサイズに合わせるための第２の画像サイズ調整キーである。第２の画像サイズ調整キー７０９を設けることにより、リーダ部２００やホストコンピュータ４０１から画像形成装置に入力される表表紙用原稿と裏表紙用原稿のサイズが異なっていても、画像形成装置側で表表紙画像と裏表紙画像の大きさを合わせることが可能となり、ユーザは事前に表表紙画像と裏表紙画像に相当する原稿を同じサイズにしておく必要がなくなり、背表紙作成の利便性を高めることができる。
【００３６】
７１０は設定キーであり、背表紙幅設定、開き設定、サイズ調整設定を有効化するためのキーである。７１１は戻るキーであり、背表紙作成モードをキャンセルし、不図示の基本画面に戻るためのキーである。
【００３７】
次に、画像形成装置の操作部１５０上の背表紙作成モード設定画面からユーザが諸設定を入力し、操作部１５０のスタートキー５０６が押下された場合、即ち、コピーモードでの背表紙作成処理について説明する。
【００３８】
図６は、コピーモードでの背表紙作成処理を示すフローチャートである。まずステップＳ１０１において、コントローラ部１１０はメモリ上に設けた原稿枚数カウンタＮの値を１にセットする。そして、ステップＳ１０２において、リーダ部２００から読み取られたＮ枚目の原稿の画像データを入力してメモリに格納する。ここで、背表紙を作成するには原稿画像データが２枚分必要であるため、次のステップＳ１０３において、Ｎ枚目の原稿が最後の原稿か否かを判別する。判別した結果、最後の原稿でなければステップＳ１０４へ進み、Ｎ枚目と同様にリーダ部２００から読み取られたＮ＋１枚目の原稿の画像データを入力してメモリに格納する。また、判別した結果、Ｎ枚目の原稿が最後の原稿であればステップＳ１０５へ進み、Ｎ＋１枚目のダミー画像（白画像）をメモリ上に作成する。
【００３９】
次に、ステップＳ１０６において、図５に示した背表紙作成モード設定画面７００にてユーザが設定した「背表紙幅」、「開き」、「画像サイズ調整」の各設定値を参照する。そして、ステップＳ１０７において、ステップＳ１０６で参照した設定値に基づいて表表紙と裏表紙の画像配置処理を行う。尚、この画像配置処理の詳細については、図７を参照して更に後述する。
【００４０】
次に、ステップＳ１０８において、ステップＳ１０７での画像配置に基づいてプリント用紙にプリントを行う。このとき、表表紙画像と裏表紙画像、背表紙幅の空白画像を連結した１つの画像としてメモリ上で作成したものをプリントしても良いし、またプリント時に排紙方向に従って表表紙或いは裏表紙をプリントした後、背表紙幅分の空白領域を形成するためにレーザを一定時間停止してプリント用紙の搬送を進め、背表紙幅分の空白領域を形成した後、裏表紙或いは表表紙をプリントしても良い。
【００４１】
次に、ステップＳ１０９において、次原稿があるか否かを判別する。ここで、次原稿があればステップＳ１１０へ進み、原稿枚数カウンタＮの値に２を加え、ステップＳ１０２に戻り、上述の背表紙作成処理を繰り返す。また、次原稿がなければ、背表紙作成処理を終了する。
【００４２】
図７は、図６に示したＳ１０７での背表紙画像配置処理を示すフローチャートである。まず、ステップＳ２０１において、裏表紙画像のサイズが表表紙画像のサイズより大きいか否かを判断する。具体的には、図５に示す第２の画像調整キーが有効になっている場合に、表表紙画像の副走査幅より裏表紙画像の副走査幅が大きいか、表表紙画像の主走査幅より裏表紙画像の主走査幅が大きいか否かを判別する。そして、どちらかに該当する場合はステップＳ２０２へ進み、表表紙画像のサイズで裏表紙画像をカッティングする。また、図５に示す第２の画像調整キーが有効になっていない場合はステップＳ２０３へ進む。このステップＳ２０３では、図５に示す用紙サイズに表表紙画像及び裏表紙画像のサイズを拡大縮小させるか否かの第１の画像調整設定がなされているか否かを判別する。
【００４３】
尚、上述のステップＳ２０２では、表表紙画像と裏表紙画像のサイズを合わせた状態であり、それらの副走査幅と用紙サイズの副走査幅は一致していない場合がある。そこで、ステップＳ２０３において、第１の画像調整設定がなされていると判断するとステップＳ２０４へ進み、第１の画像調整がなされていない場合はステップＳ２１０へ進む。
【００４４】
このステップＳ２０４では、表表紙画像の副走査幅が用紙の副走査幅より大きいと判別された場合はステップＳ２０５へ進み、表表紙画像の副走査幅が用紙の副走査幅と等しくなるように表表紙画像を縮小し、また表表紙画像の副走査幅が用紙の副走査幅より小さいと判別された場合はステップＳ２０６へ進み、表表紙画像の副走査幅が用紙の副走査幅と等しくなるように表表紙画像を拡大する。
【００４５】
次に、ステップＳ２０７において、裏表紙画像の副走査幅が用紙の副走査幅より大きいと判別された場合はステップＳ２０８へ進み、裏表紙画像の副走査幅が用紙の副走査幅と等しくなるように裏表紙画像を縮小し、また裏表紙画像の副走査幅が用紙の副走査幅より小さいと判別された場合はステップＳ２０９へ進み、裏表紙画像の副走査幅が用紙の副走査幅と等しくなるように裏表紙画像を拡大する。
【００４６】
次に、ステップＳ２１０において、図５に示す背表紙のレイアウト（開き）設定に従い、図４に示す画像配置となるように、メモリに格納されている表表紙画像及び裏表紙画像を回転させる。そして、ステップＳ２１１において、表表紙画像及び裏表紙画像の間に、図５に示す設定画面で入力された背表紙幅分の空白領域を設け、表表紙画像と裏表紙画像の画像配置処理を終了する。
【００４７】
次に、ホストコンピュータにおいて、プリンタドライバが図５に示す背表紙作成モード設定画面と同様な設定画面をユーザに提供し、ユーザがその設定画面で背表紙幅と背表紙のレイアウト（開き）と背表紙作成時の画像サイズ調整とを設定した後、画像形成装置がホストコンピュータからＰＤＬの印刷データを受信して背表紙を作成する背表紙作成処理について説明する。
【００４８】
図８は、ＰＤＬモードでの背表紙作成処理を示すフローチャートである。まずステップＳ３０１において、コントローラ部１１０はメモリ上に設けた画像枚数カウンタＮの値を１にセットする。そして、ステップＳ３０２において、受信したＰＤＬの印刷データからＮ枚目の画像を解析し、レンダリングを行ってメモリに画像データを格納する。ここで、背表紙を作成するには画像データが２枚分必要であるため、次のステップＳ３０３において、Ｎ枚目の画像が最後の画像か否かを判別する。判別した結果、最後の画像でなければステップＳ３０４へ進み、Ｎ枚目と同様に、Ｎ＋１枚目の画像を解析し、レンダリングを行ってメモリに画像データを格納する。また、判別した結果、Ｎ枚目の画像が最後の画像であればステップＳ３０５へ進み、Ｎ＋１枚目のダミー画像（白画像）をメモリ上に作成する。
【００４９】
次に、ステップＳ３０６において、プリンタドライバによって提供される図５と同様な背表紙作成モード設定画面にてユーザが設定した「背表紙幅」、「開き」、「画像サイズ調整」の各設定値を取得する。そして、ステップＳ３０７において、ステップＳ３０６で取得した設定値に基づいて表表紙と裏表紙の画像配置を行う。尚、この画像配置処理は、図７を用いて説明した処理と同様であり、その説明は省略する。
【００５０】
次に、ステップＳ３０８において、ステップＳ３０７での画像配置に基づいてプリント用紙にプリントを行う。このとき、表表紙画像と裏表紙画像、背表紙幅の空白画像を連結した１つの画像としてメモリ上で作成したものをプリントしても良いし、またプリント時に排紙方向に従って表表紙或いは裏表紙をプリントした後、背表紙幅分の空白領域を形成するためにレーザを一定時間停止してプリント用紙の搬送を進め、背表紙幅分の空白領域を形成した後、裏表紙或いは表表紙をプリントしても良い。
【００５１】
次に、ステップＳ３０９において、次画像があるか否かを判別する。ここで、次画像があればステップＳ３１０へ進み、画像枚数カウンタＮの値に２を加え、ステップＳ３０２に戻り、上述の背表紙作成処理を繰り返す。また、次画像がなければ、背表紙作成処理を終了する。
【００５２】
以上説明したように、従来の画像形成装置では、入力画像２枚のうちのどちらを表表紙或いは裏表紙にするかをユーザが指定できなかったため、画像形成装置に対して入力する画像の順番を意識せねばならず、操作ミスを起こし易いものであったが、ユーザが背表紙画像の開きを指定できるようにすることで、ユーザは画像入力の順番を意識せずに容易に背表紙を作成でき、操作性を向上させることができる。
【００５３】
特に、第１の画像サイズ調整キーを設けることにより、表表紙画像や裏表紙画像が用紙より大きくても絵を切ることなく背表紙作成を行うことが可能となる。
【００５４】
また、第２の画像サイズ調整キーを設けることにより、スキャナや外部装置から画像形成装置に入力する表表紙用画像と裏表紙用画像のサイズが異なっていても、画像形成装置側で表表紙画像と裏表紙画像の大きさを合わせることが可能となり、ユーザが事前に表表紙画像と裏表紙画像に相当する画像を同じサイズにしておく必要がなくなり、背表紙作成の利便性を向上させることができる。
【００５５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５６】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５７】
この場合、記録媒体から読出されたプログラムコード自体が前述した実施形態の機能を実現することになり、そのプログラムコードを記憶した記録媒体は本発明を構成することになる。
【００５８】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００６０】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００６１】
【図１】本実施形態における画像入出力システムの全体構成を示す図である。
【図２】リーダ部２００及びプリンタ部３００の構造を示す側断面図である。
【図３】本実施形態における操作部１５０の構成の一例を示す図である。
【図４】本実施形態における背表紙と画像のレイアウトを示す図である。
【図５】本実施形態における背表紙作成モード設定画面の一例を示す図である。
【図６】コピーモードでの背表紙作成処理を示すフローチャートである。
【図７】図６に示したＳ１０７での背表紙画像配置処理を示すフローチャートである。
【図８】ＰＤＬモードでの背表紙作成処理を示すフローチャートである。
【符号の説明】
【００６２】
１００  画像入出力システム
１１０  制御装置（コントローラ部）
１５０  操作部
２００  画像入力装置（リーダ部）
２１０  スキャナユニット
２５０  原稿給紙（ＤＦ）ユニット
３００  画像出力装置（プリンタ部）
３１０  給紙ユニット
３２０  マーキングユニット
３３０  排紙ユニット
４００  ネットワーク
４０１  ホストコンピュータ
４０２  ホストコンピュータ
５０１  パワースイッチ
５０２  パワーランプ
５０３  コピー機能選択キー
５０４  ファックス機能選択キー
５０５  パーソナルボックス選択キー
５０６  スタートキー
５０７  ストップキー
５０８  リセットキー
５０９  ガイドキー
５１０  ユーザモードキー
５１１  割り込みキー
５１２  テンキー
５１３  クリアキー
５１４  ワンタッチダイヤルキー
５１５  ２枚の蓋
５１６  タッチパネル
６００  ハードディスク
【図１】
2005286392.tif 000003
【図２】
2005286392.tif 000004
【図３】
2005286392.tif 000005
【図４】
2005286392.tif 000006
【図５】
2005286392.tif 000007
【図６】
2005286392.tif 000008
【図７】
2005286392.tif 000009
【図８】
2005286392.tif 000010